(57)【要約】【課題】白紙ではない原稿を白紙として検知した場合も、元の原稿の画像データを出力することが可能な画像処理装置を提供する。【解決手段】画像読取部１４は、原稿をスキャンして画像データを生成する。検知部２２は、スキャンによって生成された画像データに基づき白紙の原稿を検知し、白紙であると検知された原稿の画像データに、白紙であることを示す白紙属性情報を関連付ける。出力部２８は、スキャンによって生成された画像データの出力要求を受け、白紙を除去する指示を受けた場合、白紙属性情報が関連付けられている画像データを除いて、スキャンによって生成された画像データを出力し、白紙を除去する指示を受けていない場合、白紙属性情報が関連付けられている画像データを含むスキャンによって生成された画像データを出力する。【選択図】図１
2014143539.tif 000002
【特許請求の範囲】
【請求項１】
原稿をスキャンして画像データを生成する画像読取手段と、
スキャンによって生成された画像データに基づき原稿が白紙であることを検知し、白紙であると検知された原稿の画像データに、白紙であることを示す白紙属性情報を関連付ける検知手段と、
スキャンによって生成された画像データの出力要求を受け、白紙を除去する指示を受けた場合、前記白紙属性情報が関連付けられている画像データを除いて、前記スキャンによって生成された画像データを出力し、前記出力要求を受け、白紙を除去する指示を受けていない場合、前記白紙属性情報が関連付けられている画像データを含む前記スキャンによって生成された画像データを出力する出力手段と、
を有することを特徴とする画像処理装置。
【請求項２】
請求項１に記載の画像処理装置であって、
前記出力手段は、前記白紙属性情報が関連付けられている画像データを除いて画像データを出力した後、スキャンによって生成された画像データの出力要求を受け、白紙を除去する指示を受けていない場合、前記白紙属性情報が関連付けられている画像データを含む前記スキャンによって生成された画像データを出力する、
ことを特徴とする画像処理装置。
【請求項３】
コンピュータに、
原稿をスキャンすることで生成された画像データに基づき原稿が白紙であることを検知し、白紙であると検知された原稿の画像データに、白紙であることを示す白紙属性情報を関連付ける第１のステップと、
スキャンによって生成された画像データの出力要求を受け、白紙を除去する指示を受けた場合、前記白紙属性情報が関連付けられている画像データを除いて、前記スキャンによって生成された画像データを出力し、前記出力要求を受け、白紙を除去する指示を受けていない場合、前記白紙属性情報が関連付けられている画像データを含む前記スキャンによって生成された画像データを出力する第２のステップと、
を実行させることを特徴とするプログラム。
【発明の詳細な説明】
【技術分野】
【０００１】
本発明は、画像処理装置及びプログラムに関する。
【背景技術】
【０００２】
原稿をスキャンすることで画像データを生成し、当該画像データに基づいて白紙の原稿を検知する画像処理装置が知られている。
【０００３】
特許文献１には、白紙の原稿を検知した場合に白紙であることを表示し、白紙の画像データを削除するか否かをユーザに確認させる画像処理装置が開示されている。
【０００４】
特許文献２には、原本を構成する原稿の画像を読み取り、読み取られた原稿画像のページが白紙である場合、白紙のページを削除する画像読取装置が開示されている。また、原本を復元する場合、白紙でないページの属性に基づいて白紙ページを生成して印刷を行うことが開示されている。
【先行技術文献】
【特許文献】
【０００５】
【特許文献１】特開２００７−２５１４３１号公報
【特許文献２】特開２０１０−２５８６９８号公報
【発明の概要】
【発明が解決しようとする課題】
【０００６】
ところで、白紙を正確に検知することは容易なことではなく、白紙ではない原稿を白紙として誤検知してしまう場合がある。白紙ではない原稿を白紙として誤検知し、誤検知された原稿の画像データを削除した場合、元の原稿の画像データを復元することが困難となる。また、誤検知された原稿の画像データの削除を防止するために、白紙を検知した場合にユーザに確認させる方法もあり得るが、白紙を検知する度にユーザが確認作業を行う必要があるため、その分、ユーザの手間を要してしまう。
【０００７】
本発明の目的は、白紙ではない原稿を白紙として検知した場合も、元の原稿の画像データを出力することが可能な画像処理装置及びプログラムを提供することである。
【課題を解決するための手段】
【０００８】
請求項１に係る発明は、原稿をスキャンして画像データを生成する画像読取手段と、スキャンによって生成された画像データに基づき原稿が白紙であることを検知し、白紙であると検知された原稿の画像データに、白紙であることを示す白紙属性情報を関連付ける検知手段と、スキャンによって生成された画像データの出力要求を受け、白紙を除去する指示を受けた場合、前記白紙属性情報が関連付けられている画像データを除いて、前記スキャンによって生成された画像データを出力し、前記出力要求を受け、白紙を除去する指示を受けていない場合、前記白紙属性情報が関連付けられている画像データを含む前記スキャンによって生成された画像データを出力する出力手段と、を有することを特徴とする画像処理装置である。
【０００９】
請求項２に係る発明は、請求項１に係る画像処理装置であって、前記出力手段は、前記白紙属性情報が関連付けられている画像データを除いて画像データを出力した後、スキャンによって生成された画像データの出力要求を受け、白紙を除去する指示を受けていない場合、前記白紙属性情報が関連付けられている画像データを含む前記スキャンによって生成された画像データを出力する、ことを特徴とする。
【００１０】
請求項３に係る発明は、コンピュータに、原稿をスキャンすることで生成された画像データに基づき原稿が白紙であることを検知し、白紙であると検知された原稿の画像データに、白紙であることを示す白紙属性情報を関連付ける第１のステップと、スキャンによって生成された画像データの出力要求を受け、白紙を除去する指示を受けた場合、前記白紙属性情報が関連付けられている画像データを除いて、前記スキャンによって生成された画像データを出力し、前記出力要求を受け、白紙を除去する指示を受けていない場合、前記白紙属性情報が関連付けられている画像データを含む前記スキャンによって生成された画像データを出力する第２のステップと、を実行させることを特徴とするプログラムである。
【発明の効果】
【００１１】
請求項１，３に係る発明によると、白紙として検知された原稿の画像データを除いて画像データを出力することができ、また、白紙ではない原稿を白紙として検知した場合も、元の原稿の画像データを出力することができる。
【００１２】
請求項２に係る発明によると、白紙として検知された原稿の画像データを除いて画像データを出力した後であっても、元の原稿の画像データを出力することができる。
【図面の簡単な説明】
【００１３】
【図１】本発明の実施形態に係る画像処理システムの一例を示すブロック図である。
【図２】スキャン処理の一例を示すフローチャートである。
【図３】画像データの出力処理の一例を示すフローチャートである。
【発明を実施するための形態】
【００１４】
図１に、本発明の実施形態に係る画像処理システムの一例を示す。本実施形態に係る画像処理システムは、画像処理装置１０とサーバ５０と端末装置６０とを含んで構成されている。画像処理装置１０、サーバ５０及び端末装置６０は、ネットワーク等の通信経路Ｎを介して接続される。図１に示す例では、１つのサーバ５０及び１つの端末装置６０が示されているが、複数のサーバ５０及び複数の端末装置６０が通信経路Ｎに接続されていてもよい。
【００１５】
画像処理装置１０は、原稿上の画像をスキャンして電子的な画像データへと変換するスキャン機能、及び、スキャンによって得られた画像データを通信経路Ｎを介してサーバ５０又は端末装置６０等の外部装置に転送する機能を備えている。また、画像処理装置１０は、受信したデータを印刷するプリント機能、原稿上の画像を用紙上へ複写するコピー機能及び画像をファクシミリ送信するファクシミリ機能といった画像形成機能のうちの少なくとも１つを備えていてもよい。また、画像処理装置１０は、サーバ５０に保存されているデータを閲覧する機能、サーバ５０から画像データをダウンロードする機能、ダウンロードした画像データを印刷する機能等の各種機能を備えていてもよい。但し、これらに限られるものではなく、プリント機能を備えていないスキャナ等も本実施形態に係る画像処理装置１０の範疇に含まれる。
【００１６】
画像処理装置１０は、一例として、画像形成部１２と、ＣＰＵ（Ｃｅｎｔｒａｌ  Ｐｒｏｃｅｓｓｉｎｇ  Ｕｎｉｔ）２０と、記憶部３０と、通信部３２と、ＵＩ部（ユーザインターフェース部）３４とを備えている。
【００１７】
画像形成部１２は、一例として、画像読取部１４と印刷部１６とファクシミリ部１８とを備えている。画像読取部１４は、原稿上の画像をスキャンして画像を表す画像データを作成する。例えば、画像読取部１４は、複数のページからなる原稿上の画像をスキャンすることで、各ページの画像を表す画像データを生成する。印刷部１６は用紙上へ画像を印刷する。ファクシミリ部１８は画像をファクシミリ送信する。
【００１８】
ＣＰＵ２０は画像処理装置１０の各部の動作を制御する。記憶部３０はＨＤＤ（Ｈａｒｄ  Ｄｉｓｋ  Ｄｒｉｖｅ）やＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等で構成され、画像処理装置１０を制御するための各種のプログラム、制御データ及び画像データ等を記憶する。例えば各種プログラムがＣＰＵ２０によって実行されることで、画像処理装置１０の各部の機能が実行される。
【００１９】
通信部３２は一例としてネットワークインターフェースであり、画像処理装置１０を通信経路Ｎに接続し、サーバ５０や端末装置６０にデータを送信したり、サーバ５０や端末装置６０からデータを受信したりする。
【００２０】
ＵＩ部３４は例えば入力装置と表示装置とを備え、ユーザによる各種情報の入力を受け付けたり、画像形成に関する画面を表示したりする。例えば、ＵＩ部３４は、画像読取部１４によって原稿をスキャンする場合の各種パラメータの入力を受け付ける。また、ＵＩ部３４は、スキャンによって生成された画像データを外部装置に転送する場合の各種設定情報を受け付ける。また、ＵＩ部３４は、白紙除去機能の有効又は無効の指示を受け付ける。白紙除去機能とは、スキャンによって生成された画像データから白紙の画像データを除去する機能を意味する。
【００２１】
次に、白紙検知を行うための画像処理装置１０の機能の一例について説明する。画像処理装置１０は、検知部２２と、画像処理部２４と、変換部２６と、出力部２８とを備えている。
【００２２】
検知部２２は、画像読取部１４によって原稿をスキャンすることで生成された画像データに基づいて、白紙の原稿を検知する。検知部２２は、白紙であると検知された原稿の画像データに、白紙であることを示す白紙属性情報を関連付ける。例えば、検知部２２は、白紙であると検知された原稿の画像データの画像属性情報（例えばメタ情報）に、白紙であることを示す白紙属性情報を付加する。例えば、複数のページからなる原稿が画像読取部１４によってスキャンされて各ページの画像データが生成された場合、検知部２２は、各ページに対して白紙検知を行うことで白紙のページを検知する。そして、検知部２２は、白紙であると検知されたページの画像データの画像属性情報に白紙属性情報を付加する。
【００２３】
白紙の原稿を検知する方法として、様々な方法がある。例えば、検知部２２は、画像データを予め定められた濃度値と比較し、１ページ内のすべての画素の濃度値が予め定められた濃度値以下となるページを白紙として検知してもよい。または、検知部２２は、予め定められた濃度値を超える画素の数をカウントし、１ページにおけるカウント数が予め定められた値以下となるページを白紙として検知してもよい。また、特開２００５−１０９７５４号公報や特開２００１−１４３０５０号公報等に記載されている方法によって白紙の原稿を検知してもよい。
【００２４】
画像処理部２４は、スキャンによって生成された画像データに、ガンマ補正やフィルタ処理や階調処理等の画像処理を施す。画像処理が施された画像データは、記憶部３０に記憶される。
【００２５】
変換部２６は記憶部３０から画像データを読み出し、当該画像データのフォーマットを、ＰＤＦ形式、ＸＰＳ形式又はＪＰＥＧ形式等の任意のフォーマットに変換する。例えば、ユーザがＵＩ部３４を用いて画像データのフォーマットを指定してもよい。また、変換部２６は、白紙除去機能が有効の場合、白紙属性情報が関連付けられている画像データ（画像属性情報に白紙属性情報が付加されている画像データ）以外の画像データを記憶部３０から読み出してフォーマットを変換する。一方、変換部２６は、白紙除去機能が無効の場合、スキャンによって生成されたすべての画像データを記憶部３０から読み出してフォーマットを変換する。
【００２６】
出力部２８は、変換部２６によってフォーマットが変換された画像データを出力する。例えば、白紙除去機能が有効の場合、出力部２８は、白紙属性情報が関連付けられている画像データ（属性情報に白紙属性情報が付加されている画像データ）以外の画像データを出力する。一方、出力部２８は、白紙除去機能が無効の場合、スキャンによって生成されたすべての画像データを出力する。例えば、出力部２８は、変換部２６によってフォーマットが変換された画像データを、通信部３２及び通信経路Ｎを介してサーバ５０や端末装置６０等の外部装置に転送する。白紙除去機能が有効の場合、出力部２８は、白紙属性情報が関連付けられている画像データ以外の画像データを転送する。一方、白紙除去機能が無効の場合、出力部２８は、スキャンによって生成されたすべての画像データを転送する。
【００２７】
次に、図２及び図３に示すフローチャートを参照して、スキャンによって生成された画像データを転送する処理について説明する。まず、図２を参照して、スキャン処理の手順の一例を説明する。
【００２８】
まず、ユーザはＵＩ部３４を用いて、白紙除去機能の有効又は無効の指示、画像フォーマットの種類及び画像データの転送先の情報等を入力し、スキャン開始の指示をする（Ｓ０１）。これにより、画像読取部１４は原稿をスキャンする（Ｓ０２）。例えば、画像読取部１４は、複数ページからなる原稿をスキャンし、各ページの画像データを生成する。
【００２９】
そして、検知部２２は、スキャンによって生成された画像データに基づいて白紙検知処理を行う（Ｓ０３）。検知部２２は、処理対象となるページの画像データに基づき、当該ページが白紙であることを検知した場合（Ｓ０３，Ｙｅｓ）、白紙であると検知されたページの画像データの画像属性情報に白紙属性情報を付加する（Ｓ０４）。そして、画像処理部２４は、白紙であると検知された原稿の画像データに画像処理を施す（Ｓ０５）。
【００３０】
一方、処理対象のページが白紙であると検知部２２によって検知されなかった場合（Ｓ０３，Ｎｏ）、画像処理部２４は、当該ページの画像データに画像処理を施す（Ｓ０５）。
【００３１】
画像処理が施された画像データは、ＣＰＵ２０によってファイル名が付加されて記憶部３０に記憶される（Ｓ０６）。例えば、白紙であると検知され画像処理が施された画像データ、及び、白紙であると検知されず画像処理が施された画像データが、記憶部３０に記憶される。
【００３２】
そして、すべてのページが画像読取部１４によってスキャンされた場合（Ｓ０７，Ｙｅｓ）、スキャン処理は終了する。一方、スキャンされていないページが残っている場合（Ｓ０７，Ｎｏ）、スキャンされていないページを対象にして、ステップＳ０２〜Ｓ０６の処理が実行される。
【００３３】
以上のように、原稿を構成する各ページに対して白紙検知処理を行い、白紙であると検知されたページの画像データの画像属性情報に白紙属性情報を付加する。
【００３４】
次に、図３を参照して、画像データの出力処理の手順の一例を説明する。
【００３５】
まず、白紙を除去する指示がなされ、白紙除去機能が有効になっている場合（Ｓ１０，Ｙｅｓ）、変換部２６は、処理対象のページの画像データの画像属性情報を記憶部３０から読み出す（Ｓ１１）。そして、当該ページの画像属性情報に白紙属性情報が含まれている場合（Ｓ１２，Ｙｅｓ）、変換部２６は当該ページの画像データを記憶部３０から読み出さず、次のページが処理対象となる（Ｓ１３）。すなわち、変換部２６は、白紙であると検知されたページの画像データを記憶部３０から読み出さず、次のページの処理を行う。この場合、変換部２６は、次のページの画像データの画像属性情報を記憶部３０から読み出し（Ｓ１１）、当該画像属性情報に白紙属性情報が含まれている場合（Ｓ１２，Ｙｅｓ）、当該次のページの画像データを記憶部３０から読み出さず、更に次のページの処理を行う（Ｓ１３）。
【００３６】
一方、処理対象のページの画像属性情報に白紙属性情報が含まれていない場合（Ｓ１２，ｎｏ）、変換部２６は、当該ページの画像データを記憶部３０から読み出し（Ｓ１４）、読み出した画像データのフォーマットを、ユーザによって指定されたフォーマットに変換する（Ｓ１５）。すなわち、変換部２６は、白紙であると検知されなかったページの画像データを記憶部３０から読み出してフォーマットを変換する。
【００３７】
以上のように、変換部２６は、白紙として検知されたページの画像データを記憶部３０から読み出さず、白紙であると検知されなかったページの画像データを記憶部３０から読み出し、読み出した画像データのフォーマットを変換する。
【００３８】
また、白紙を除去する指示がなされておらず、白紙除去機能が無効になっている場合（Ｓ１０，Ｎｏ）、変換部２６は、処理対象のページの画像データを記憶部３０から読み出し（Ｓ１４）、読み出した画像データのフォーマットを変換する（Ｓ１５）。
【００３９】
そして、転送対象のファイルが完成した場合（Ｓ１６，Ｙｅｓ）、出力部２８は、変換部２６によってフォーマットが変換された画像データを、通信部３２及び通信経路Ｎを介して、ユーザによって指定された外部装置に転送する（Ｓ１８）。
【００４０】
一方、転送対象のファイルが完成していない場合（Ｓ１６，Ｎｏ）、次のページが処理対象となる（Ｓ１７）。この場合、次のページを対象にして、ステップＳ１０〜Ｓ１６の処理が実行される。
【００４１】
そして、白紙除去機能が有効の場合に、白紙であると検知されなかったすべてのページの画像データが送信されると（Ｓ１９，Ｙｅｓ）、処理は終了し、送信されていないページがある場合（Ｓ１９，Ｎｏ）、ステップＳ１０〜Ｓ１８の処理が実行される。
【００４２】
一方、白紙除去機能が無効の場合に、スキャンによって生成されたすべてのページの画像データが送信されると（Ｓ１９，Ｙｅｓ）、処理は終了し、送信されていないページがある場合（Ｓ１９，Ｎｏ）、ステップＳ１０〜Ｓ１８の処理が実行される。
【００４３】
そして、画像データを外部装置に転送した後、白紙除去機能を有効又は無効にし、記憶部３０に記憶されている画像データを再び外部装置に転送してもよい。例えば、白紙除去機能を有効にして画像データを外部装置に転送した後、白紙除去機能を無効にして記憶部３０に記憶されている画像データを外部装置に転送してもよい。例えば、上述したステップＳ０１にてユーザが白紙除去機能の有効を指示してスキャン開始を指示すると、画像処理装置１０は、ステップＳ０２〜Ｓ１９の処理を実行することで、白紙であると検知されたページの画像データ以外の画像データを、ユーザによって指定された外部装置に転送する。その後、ユーザがＵＩ部３４を用いて、白紙除去機能の無効を指示して記憶部３０に記憶されている画像データの転送を指示すると、ＣＰＵ２０は、ステップＳ１０〜Ｓ１９の処理を実行することで、記憶部３０に記憶されている画像データを、ユーザによって指定された外部装置に転送する。
【００４４】
例えば、白紙除去機能を有効にして転送された原稿の画像データを端末装置６０等の外部装置にてユーザが参照した後、当該原稿のすべてのページの画像データの転送をユーザが希望する場合、ユーザはＵＩ部３４を用いて、転送対象の原稿の画像データのファイル名、白紙除去機能の無効の指示及び転送先の情報等を入力し、画像データの転送を指示する。そして、ＣＰＵ２０は、ステップＳ１０〜Ｓ１９の処理を実行する。すなわち、ＣＰＵ２０は、指定された原稿のすべてのページの画像データを記憶部３０から読み出してフォーマットを変換し、すべてのページの画像データを端末装置６０等の外部装置に転送する。これにより、白紙であると検知されたページの画像データが除去されずに、スキャンによって生成されたすべてのページの画像データが、端末装置６０等の外部装置に転送され、ユーザによって参照される。
【００４５】
また、白紙除去機能を無効にして画像データを外部装置に転送した後、白紙除去機能を有効にして記憶部３０に記憶されている画像データを外部装置に転送してもよい。
【００４６】
以上のように、本実施形態に係る画像処理装置１０によると、白紙除去機能を有効にした場合、白紙であると検知されたページの画像データが除かれた状態で画像データが外部装置に転送される。一方、白紙除去機能を無効にした場合、白紙であると検知されたページの画像データを含む画像データが外部装置に転送される。そのことにより、白紙除去機能を有効にした場合、白紙であると検知されたページの画像データの分だけ、転送対象の画像データのデータ容量が削減される。また、白紙でないページが白紙であると誤検知された場合であっても、白紙除去機能を無効にすることで、スキャンによって生成されたすべてのページの画像データが外部装置に転送されるため、元の原稿の画像データが得られる。すなわち、白紙であると検知されたページの画像データを削除せずに、記憶部３０に記憶させておくことで、白紙の誤検知が発生した場合であっても、元の原稿のすべてのページの画像データが得られる。
【００４７】
また、本実施形態に係る画像処理装置１０によると、白紙であると検知されたページの画像データを削除しないため、誤検知されたページの画像データの削除を防止するために、白紙を検知した場合にユーザに確認させなくて済む。本実施形態に係る画像処理装置１０によると、ユーザに確認させるまでもなく、元の原稿の画像データが得られるため、ユーザによる確認作業が不要となり、ユーザの手間が省ける。
【００４８】
なお、画像処理装置１０の管理者としての権限を有するユーザに、白紙除去機能の有効又は無効の切り替えを許可し、管理者としての権限を有さない一般ユーザによる切り替えを禁止するようにしてもよい。例えば、ユーザはＵＩ部３４を用いてユーザ識別情報（ユーザＩＤ、パスワード等）を入力し、画像処理装置１０にログインする。ＣＰＵ２０は、ＵＩ部３４から入力されたユーザ識別情報に基づいて認証処理を行い、ログインしたユーザが管理者として認証された場合、白紙除去機能の有効又は無効の切り替えをログインしたユーザに許可する。一方、ＣＰＵ２０は、ログインしたユーザが管理者として認証されない場合、ログインしたユーザによる切り替えを禁止する。
【００４９】
また、検知部２２は、白紙除去機能が有効にされたか否かにかかわらず白紙を検知するようにしてもよいし、白紙除去機能が有効にされた場合に白紙を検知し、白紙除去機能が無効にされた場合には白紙を検知しないようにしてもよい。
【００５０】
また、上述した実施形態では、出力部２８が通信部３２及び通信経路Ｎを介して画像データを外部装置に転送する場合について説明したが、出力部２８は、画像データを印刷部１６に出力して印刷部１６に画像を印刷させてもよい。例えば、白紙除去機能が有効の場合、出力部２８は、白紙であると検知されたページの画像データを除いてスキャンによって生成された画像データを印刷部１６に出力し、印刷部１６に画像を印刷させる。一方、白紙除去機能が無効の場合、出力部２８は、スキャンによって生成されたすべてのページの画像データを印刷部１６に出力し、印刷部１６に画像を印刷させる。そのことにより、白紙除去機能を有効にした場合は白紙が除去された印刷物が得られ、白紙の誤検知が発生した場合であっても、白紙除去機能を無効にすることで元の原稿の印刷物が得られる。
【００５１】
なお、変換部２６は、スキャンによって生成されたすべてのページの画像データのフォーマットを変換してもよい。この場合、出力部２８が、白紙除去機能が有効又は無効であることに応じて、画像データの出力処理を行う。例えば、白紙除去機能が有効の場合、出力部２８は、画像データの画像属性情報を参照することで白紙属性情報が関連付けられている画像データを特定し、白紙属性情報が関連付けられている画像データ（白紙であると検知されたページの画像データ）を、転送対象の画像データから除いて画像データを転送する。一方、白紙除去機能が無効の場合、出力部２８は、スキャンによって生成されたすべてのページの画像データを転送する。このように、白紙であると検知されたページの画像データを出力対象から除く処理を、変換部２６が行ってもよいし、出力部２８が行ってもよい。
【００５２】
上述した検知部２２、画像処理部２４、変換部２６及び出力部２８のそれぞれの機能は、主に、ＣＰＵ２０が、記憶部３０に記憶されているプログラムを実行することにより実現されるが、一部がハードウェアによって構成されていてもよい。上記プログラムは、ＣＤやＤＶＤ等の記録媒体を介して又はネットワーク等の通信経路を介して、記憶部３０に記憶される。なお、上記プログラムは、記憶部３０に予め記憶されていてもよい。記憶部３０に記憶されているプログラムが、メモリに読み出されてＣＰＵ２０によって実行されることにより、上述した各部の機能が実現される。
【符号の説明】
【００５３】
１０  画像処理装置、１２  画像形成部、１４  画像読取部、１６  印刷部、１８  ファクシミリ部、２０  ＣＰＵ、２２  検知部、２４  画像処理部、２６  変換部、２８  出力部、３０  記憶部、３２  通信部、３４  ＵＩ部（ユーザインターフェース部）、５０  サーバ、６０  端末装置。
【図１】
2014143539.tif 000003
【図２】
2014143539.tif 000004
【図３】
2014143539.tif 000005